(57)【要約】【課題】外部ミラーと組み合わせることなく、レンズアレイ単体のみで、光路折り曲げが可能となり、安価で、生産性の良い、薄型高焦点深度のレンズアレイおよびこのレンズアレイを適用したイメージセンサモジュールを提供する。【解決手段】  入射光Ｉiを入射する入射面１４ａと、入射光Ｉiを反射する反射面１６ａと、反射面１６ａにおいて反射された出射光Ｉoを出射する出射面１２ａとを有する導光体１０と、入射面１４ａに配置され、凸状曲面を有する複数の入射面凸レンズ１４と、出射面１２ａに配置され、凸状曲面を有する複数の出射面凸レンズ１２とを備え、入射面凸レンズ１４と出射面凸レンズ１２により、正立等倍像を結ぶと共に、第１反射面１６ａにおける反射により、入射方向と出射方向に所定の角度を持たせたレンズアレイ２およびこのレンズアレイを適用したイメージセンサモジュール４。【選択図】図１
2013029650.tif 000002
【特許請求の範囲】
【請求項１】
入射光を入射する入射面と、前記入射光を反射する第１反射面と、前記第１反射面において反射された出射光を出射する出射面とを有する導光体と、
前記入射面に配置され、凸状曲面を有する複数の入射面凸レンズと、
前記出射面に配置され、凸状曲面を有する複数の出射面凸レンズと
を備え、前記入射面凸レンズと前記出射面凸レンズにより、正立等倍像を結ぶと共に、前記第１反射面における反射により、入射方向と出射方向に所定の角度を持たせたことを特徴とするレンズアレイ。
【請求項２】
前記所定の角度は、９０度であることを特徴とする請求項１に記載のレンズアレイ。
【請求項３】
前記所定の角度は、鋭角であることを特徴とする請求項１に記載のレンズアレイ。
【請求項４】
入射光を入射する入射面と、前記入射光を反射する第１反射面と、前記第１反射面において反射された前記入射光をさらに反射する第２反射面と、前記第２反射面において反射された出射光を出射する出射面とを有する導光体と、
前記入射面に配置され、凸状曲面を有する複数の入射面凸レンズと、
前記出射面に配置され、凸状曲面を有する複数の出射面凸レンズと
を備え、前記入射面凸レンズと前記出射面凸レンズにより、正立等倍像を結ぶと共に、前記第１反射面と前記第２反射面における反射により、入射方向と出射方向に０度若しくは１８０度の角度を持たせたことを特徴とするレンズアレイ。
【請求項５】
前記導光体、前記入射面凸レンズおよび前記出射面凸レンズは、透明樹脂成型品であることを特徴とする請求項１〜４のいずれか１項に記載のレンズアレイ。
【請求項６】
前記反射面に反射鏡を備えることを特徴とする請求項１〜４のいずれか１項に記載のレンズアレイ。
【請求項７】
前記反射鏡は、アルミニウムの蒸着技術若しくはスパッタリング技術を用いて形成されたことを特徴とする請求項６に記載のレンズアレイ。
【請求項８】
前記入射面に配置され、前記入射面凸レンズに入射する光の光量を調節する第１絞り機構を備えることを特徴とする請求項１〜７のいずれか１項に記載のレンズアレイ。
【請求項９】
前記出射面に配置され、前記出射面凸レンズから出射する光の光量を調節する第２絞り機構を備えることを特徴とする請求項１〜８のいずれか１項に記載のレンズアレイ。
【請求項１０】
前記第１絞り機構の高さは、前記入射面凸レンズの高さよりも高いことを特徴とする請求項８に記載のレンズアレイ。
【請求項１１】
前記第２絞り機構の高さは、前記出射面凸レンズの高さよりも高いことを特徴とする請求項９に記載のレンズアレイ。
【請求項１２】
前記導光体内部に配置され、前記第１反射面により反射された光の光量を調節する第３絞り機構を備えることを特徴とする請求項１〜１１のいずれか１項に記載のレンズアレイ。
【請求項１３】
前記第３絞り機構は、矩形形状の金属膜で形成されたことを特徴とする請求項１２に記載のレンズアレイ。
【請求項１４】
前記第３絞り機構は、テーパー形状の金属膜で形成されたことを特徴とする請求項１２に記載のレンズアレイ。
【請求項１５】
前記第３絞り機構は、前記導光体表面にテーパー形状に配置された絶縁層と、前記絶縁層上に配置され、テーパー形状の金属膜とを備えることを特徴とする請求項１２に記載のレンズアレイ。
【請求項１６】
請求項１〜９のいずれか１項に記載のレンズアレイと、
前記レンズアレイを保持する筐体と、
前記筐体上に配置された光源と、
前記光源からの入射光を反射する原稿載置面と、
前記出射面からの出射光を受光するイメージセンサと
を備え、
前記入射面凸レンズと前記出射面凸レンズにより、前記イメージセンサ上に正立等倍像を結ぶことを特徴とするイメージセンサモジュール。
【発明の詳細な説明】
【技術分野】
【０００１】
本発明は、レンズアレイおよびイメージセンサモジュールに関し、特に正立等倍像が得られ、かつ薄型のレンズアレイおよび当該レンズアレイを適用したイメージセンサモジュールに関する。
【背景技術】
【０００２】
正立等倍レンズアレイを用いたライン型イメージセンサモジュールにおいて、明るさを保ちながら、高焦点深度を得るためには、物体と結像面間距離であるＴＣ長が長くなり、モジュールが厚くなる（例えば、特許文献１参照。）。
【０００３】
一方、ミラーを使用することにより、薄型化は可能であるが、部品点数と組み立ての工程数が増加すると共に、長尺方向における位置ずれなどによって、生産性の低下、およびコストアップなどにつながる。
【先行技術文献】
【特許文献】
【０００４】
【特許文献１】特開２００３−１３９９１１号公報
【発明の概要】
【発明が解決しようとする課題】
【０００５】
本発明の目的は、外部ミラーと組み合わせることなく、レンズアレイ単体のみで、光路折り曲げが可能となり、安価で、生産性の良い、薄型高焦点深度のレンズアレイおよびこのレンズアレイを適用したイメージセンサモジュールを提供することにある。
【課題を解決するための手段】
【０００６】
本発明の一態様によれば、入射光を入射する入射面と、前記入射光を反射する第１反射面と、前記第１反射面において反射された出射光を出射する出射面とを有する導光体と、前記入射面に配置され、凸状曲面を有する複数の入射面凸レンズと、前記出射面に配置され、凸状曲面を有する複数の出射面凸レンズとを備え、前記入射面凸レンズと前記出射面凸レンズにより、正立等倍像を結ぶと共に、前記第１反射面における反射により、入射方向と出射方向に所定の角度を持たせたレンズアレイが提供される。
【０００７】
本発明の他の態様によれば、入射光を入射する入射面と、前記入射光を反射する第１反射面と、前記第１反射面において反射された前記入射光をさらに反射する第２反射面と、前記第２反射面において反射された出射光を出射する出射面とを有する導光体と、前記入射面に配置され、凸状曲面を有する複数の入射面凸レンズと、前記出射面に配置され、凸状曲面を有する複数の出射面凸レンズとを備え、前記入射面凸レンズと前記出射面凸レンズにより、正立等倍像を結ぶと共に、前記第１反射面と前記第２反射面における反射により、入射方向と出射方向に０度若しくは１８０度の角度を持たせたレンズアレイが提供される。
【０００８】
本発明の他の態様によれば、前記レンズアレイと、前記レンズアレイを保持する筐体と、前記筐体上に配置された光源と、前記光源からの入射光を反射する原稿載置面と、前記出射面からの出射光を受光するイメージセンサとを備え、前記入射面凸レンズと前記出射面凸レンズにより、前記イメージセンサ上に正立等倍像を結ぶイメージセンサモジュールが提供される。
【発明の効果】
【０００９】
本発明によれば、外部ミラーと組み合わせることなく、レンズアレイ単体のみで、光路折り曲げが可能となり、安価で、生産性の良い、薄型高焦点深度のレンズアレイおよびこのレンズアレイを適用したイメージセンサモジュールを提供することができる。
【図面の簡単な説明】
【００１０】
【図１】第１の実施の形態に係るレンズアレイの模式的断面構造図。
【図２】第１の実施の形態の変形例１に係るレンズアレイの模式的断面構造図。
【図３】第１の実施の形態の変形例２に係るレンズアレイの模式的断面構造図。
【図４】第１の実施の形態の変形例３に係るレンズアレイの模式的断面構造図。
【図５】第１の実施の形態の変形例４に係るレンズアレイの模式的断面構造図。
【図６】第１の実施の形態に係るレンズアレイの動作説明図。
【図７】第１の実施の形態の変形例１に係るレンズアレイの動作説明図。
【図８】第１の実施の形態の変形例２に係るレンズアレイの動作説明図。
【図９】第１の実施の形態の変形例３に係るレンズアレイの動作説明図。
【図１０】第１の実施の形態の変形例４に係るレンズアレイの動作説明図。
【図１１】第２の実施の形態に係るレンズアレイの模式的鳥瞰構造図。
【図１２】図１１のＩ−Ｉ線に沿う模式的断面構造図。
【図１３】（ａ）図１１および図１２の出射面近傍の模式的平面パターン構成図、（ｂ）図１３（ａ）のＩＩ−ＩＩ線に沿う模式的断面構造図。
【図１４】第１の実施の形態に係るレンズアレイを適用したイメージセンサモジュールの模式的鳥瞰構造図。
【図１５】図１４のＩＩＩ−ＩＩＩ線に沿う模式的断面構造図。
【図１６】第１の実施の形態の変形例１に係るレンズアレイを適用したイメージセンサモジュールの模式的断面構造図。
【図１７】第１の実施の形態の変形例２に係るレンズアレイを適用したイメージセンサモジュールの模式的断面構造図。
【図１８】第１の実施の形態の変形例３に係るレンズアレイを適用したイメージセンサモジュールの模式的断面構造図。
【図１９】第１の実施の形態の変形例４に係るレンズアレイを適用したイメージセンサモジュールの模式的断面構造図。
【図２０】第３の実施の形態に係るレンズアレイの模式的断面構造図。
【図２１】第３の実施の形態の変形例１に係るレンズアレイの模式的断面構造図。
【図２２】第３の実施の形態の変形例２に係るレンズアレイの模式的断面構造図。
【図２３】第３の実施の形態の変形例３に係るレンズアレイの模式的断面構造図。
【図２４】第３の実施の形態の変形例４に係るレンズアレイの模式的断面構造図。
【図２５】第３の実施の形態の変形例５に係るレンズアレイの模式的断面構造図。
【図２６】第３の実施の形態の変形例６に係るレンズアレイの模式的断面構造図。
【図２７】第３の実施の形態の変形例７に係るレンズアレイの模式的断面構造図。
【図２８】第３の実施の形態に係るレンズアレイの動作説明のための模式的断面構造図。
【図２９】（ａ）第３の実施の形態の変形例８に係るレンズアレイの模式的断面構造図、（ｂ）第３の実施の形態の変形例９に係るレンズアレイの模式的断面構造図。
【図３０】（ａ）第３実施の形態に係るレンズアレイの動作説明のための模式的断面構造図、（ｂ）第３実施の形態に係るレンズアレイの動作説明のための別の模式的断面構造図。
【発明を実施するための形態】
【００１１】
次に、図面を参照して、本発明の実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。
【００１２】
又、以下に示す実施の形態は、この発明の技術的思想を具体化するための装置や方法を例示するものであって、この発明の実施の形態は、構成部品の材質、形状、構造、配置等を下記のものに特定するものでない。この発明の実施の形態は、特許請求の範囲において、種々の変更を加えることができる。
【００１３】
[第１の実施の形態]
第１の実施の形態に係るレンズアレイ２の模式的断面構造は、図１に示すように表され、第１の実施の形態の変形例１〜４に係るレンズアレイ２の模式的断面構造は、それぞれ図２〜図５に示すように表される。図１〜図５では断面構造が示されている。第１の実施の形態およびその変形例１〜４に係るレンズアレイ２は、後述する図１１の鳥瞰構造と同様に、紙面に垂直方向に柱状の構成を備え、後述する入射面凸レンズ１４および出射面凸レンズ１２も紙面に垂直方向に所定のピッチで複数配置されている。
【００１４】
第１の実施の形態に係るレンズアレイ２は、図１に示すように、入射光Ｉiを入射する入射面１４ａと、入射光Ｉiを反射する第１反射面１６ａと、第１反射面１６ａにおいて反射された出射光Ｉoを出射する出射面１２ａとを有する導光体１０と、入射面１４ａに配置され、凸状曲面を有する複数の入射面凸レンズ１４と、出射面１２ａに配置され、凸状曲面を有する複数の出射面凸レンズ１２とを備える。ここで、入射面凸レンズ１４と出射面凸レンズ１２により、正立等倍像を結ぶと共に、第１反射面１６ａにおける反射により、入射方向と出射方向に所定の角度を持たせている。
【００１５】
第１の実施の形態に係るレンズアレイ２では、所定の角度は９０度である。
【００１６】
また、図１において、ｃ１−ｃ２およびｃ２−ｃ３は光路長を表しており、ｃ１に配置された物体の正立等倍像がｃ３に結像される。第１の実施の形態に係るレンズアレイ２においては、光路長を調整することによって、共役長や焦点深度を自由に選択可能である。ここで、第１の実施の形態に係るレンズアレイ２では、共役長は、ｃ１−ｃ２およびｃ２−ｃ３の全長で表される。光路長の調整は、入射面および出射面のレンズ曲面の調整、およびレンズ長（入射面〜出射面間距離）の調整によって行う。光路長の調整に伴って、画角を変動することができる。主に、この画角によって、焦点深度が左右される。
【００１７】
第１の実施の形態に係るレンズアレイ２において、導光体１０、入射面凸レンズ１４および出射面凸レンズ１２は、ガラス若しくは透明樹脂の成型品で形成されていても良い。
【００１８】
具体的には、導光体１０、入射面凸レンズ１４および出射面凸レンズ１２の材質は、例えば、ガラス、アクリル、ポリカーボネイト、ゼオネクス、ポリエステルなどの一体成型で形成されていても良い。
【００１９】
第１の実施の形態に係るレンズアレイ２において、導光体１０、入射面凸レンズ１４および出射面凸レンズ１２の材質は、屈折率が高い材料を使用することで、反射面１６ａでロスを軽減することも可能である。
【００２０】
例えば、光学用特殊ポリエステル「ＯＫＰ４ＨＴ」（大阪ガスケミカル製）の場合、屈折率ｎ＝１．６３２が得られている。また、特殊ポリカーボネイト「ＥＰ−５０００」（三菱ガス化学製）の場合、屈折率ｎ＝１．６３４が得られている。
【００２１】
第１の実施の形態に係るレンズアレイ２においては、表面屈折型正立等倍レンズアレイにおいて、そのレンズアレイ内面反射により、入射方向と出射方向に所定の角度を持たせることで、光路を折り曲げ、レンズアレイ２の厚さを薄くすることができる。第１の実施の形態に係るレンズアレイ２においては、例えば、厚さは、約０．６ｍｍ、横方向の長さは、約４．５ｍｍ程度に形成可能である。
【００２２】
また、第１の実施の形態に係るレンズアレイ２においては、樹脂成型で形成可能であるため、導光体１０、入射面凸レンズ１４および出射面凸レンズ１２の形状を多様な形状に形成可能である。
【００２３】
また、第１の実施の形態に係るレンズアレイ２においては、反射面１６ａに鏡面処理を施して形成された反射鏡１７を備えていても良い。このような反射鏡１７は、アルミニウムの蒸着技術若しくはスパッタリング技術を用いて形成可能である。
【００２４】
鈍角反射の場合は、ほぼ全反射とすることも可能であるが、鋭角反射でない場合は、反射面にアルミニウム蒸着などにより、鏡面処理を行うことが望ましい。
【００２５】
第１の実施の形態に係るレンズアレイ２においては、外部ミラーと組み合わせることなく、レンズアレイ単体のみで、光路折り曲げが可能となり、安価で、生産性の良い、薄型高焦点深度のレンズアレイを提供することができる。
【００２６】
（変形例１）
第１の実施の形態の変形例１に係るレンズアレイ２は、図２に示すように、凸状曲面を有する複数の入射面凸レンズ１４と凸状曲面を有する複数の出射面凸レンズ１２は、それぞれ別々のロッドに形成され、これら２つのロッドが、互いに直交した構成を備える。これら２つのロッドは直交し、反射面１６ａで共通に接続されている。その他の構成は、第１の実施の形態と同様であるため、重複説明は省略する。図２の例においても、所定の角度は、９０度である。
【００２７】
また、図２において、ｃ１−ｃ２およびｃ２−ｃ３は光路長を表しており、ｃ１に配置された物体の正立等倍像がｃ３に結像される。第１の実施の形態の変形例１に係るレンズアレイ２においては、光路長を調整することによって、共役長や焦点深度を自由に選択可能である。ここで、第１の実施の形態の変形例１に係るレンズアレイ２では、共役長は、ｃ１−ｃ２およびｃ２−ｃ３の全長で表される。
【００２８】
第１の実施の形態の変形例１に係るレンズアレイ２においては、例えば、厚さは、約２．５ｍｍ、横方向の長さも、約２．５ｍｍ程度に形成可能である。
【００２９】
第１の実施の形態の変形例１に係るレンズアレイ２においても、外部ミラーと組み合わせることなく、レンズアレイ単体のみで、光路折り曲げが可能となり、安価で、生産性の良い、薄型高焦点深度のレンズアレイを提供することができる。
【００３０】
（変形例２）
第１の実施の形態の変形例２に係るレンズアレイ２は、図３に示すように、入射光Ｉiを入射する入射面１４ａと、入射光Ｉiを反射する第１反射面１６ａと、第１反射面１６ａにおいて反射された入射光Ｉiをさらに反射する第２反射面１６ｂと、第２反射面１６ｂにおいて反射された出射光Ｉoを出射する出射面１２ａとを有する導光体１０と、入射面１４ａに配置され、凸状曲面を有する複数の入射面凸レンズ１４と、出射面１２ａに配置され、凸状曲面を有する複数の出射面凸レンズ１２とを備える。ここで、入射面凸レンズ１４と出射面凸レンズ１２により、正立等倍像を結ぶと共に、第１反射面１６ａと第２反射面１６ｂにおける反射により、入射方向と出射方向に０度の角度を持たせている。その他の構成は、第１の実施の形態と同様であるため、重複説明は省略する。
【００３１】
また、図３において、ｃ１−ｃ２、ｃ２−ｃ３およびｃ３−ｃ４は光路長を表しており、ｃ１に配置された物体の正立等倍像がｃ４に結像される。第１の実施の形態の変形例２に係るレンズアレイ２においては、光路長を調整することによって、共役長や焦点深度を自由に選択可能である。ここで、第１の実施の形態の変形例２に係るレンズアレイ２では、共役長は、ｃ１−ｃ２、ｃ２−ｃ３およびｃ３−ｃ４の全長で表される。
【００３２】
第１の実施の形態の変形例２に係るレンズアレイ２においては、例えば、厚さは、約０．６ｍｍ、横方向の長さは、約４．５ｍｍ程度に形成可能である。
【００３３】
また、第１の実施の形態に係るレンズアレイ２においては、反射面１６ａ・１６ｂに鏡面処理を施して形成された反射鏡１７ａ・１７ｂ（図１７内のレンズアレイ２を参照）を備えていても良い。
【００３４】
第１の実施の形態の変形例２に係るレンズアレイ２においても、外部ミラーと組み合わせることなく、レンズアレイ単体のみで、光路折り曲げが可能となり、安価で、生産性の良い、薄型高焦点深度のレンズアレイを提供することができる。
【００３５】
（変形例３）
第１の実施の形態の変形例３に係るレンズアレイ２は、図４に示すように、入射光Ｉiを入射する入射面１４ａと、入射光Ｉiを反射する第１反射面１６ａと、第１反射面１６ａにおいて反射された出射光Ｉoを出射する出射面１２ａとを有する導光体１０と、入射面１４ａに配置され、凸状曲面を有する複数の入射面凸レンズ１４と、出射面１２ａに配置され、凸状曲面を有する複数の出射面凸レンズ１２とを備える。ここで、入射面凸レンズ１４と出射面凸レンズ１２により、正立等倍像を結ぶと共に、第１反射面１６ａにおける反射により、入射方向と出射方向に所定の角度θを持たせている。ここで、所定の角度θは、鋭角である。その他の構成は、第１の実施の形態と同様であるため、重複説明は省略する。
【００３６】
また、図４において、ｃ１−ｃ２およびｃ２−ｃ３は光路長を表しており、ｃ１に配置された物体の正立等倍像がｃ３に結像される。第１の実施の形態の変形例３に係るレンズアレイ２においては、光路長を調整することによって、共役長や焦点深度を自由に選択可能である。ここで、第１の実施の形態の変形例３に係るレンズアレイ２では、共役長は、ｃ１−ｃ２およびｃ２−ｃ３の全長で表される。
【００３７】
第１の実施の形態の変形例３に係るレンズアレイ２においては、例えば、厚さは、約２．５ｍｍ、横方向の長さも、約２．５ｍｍ程度に形成可能である。
【００３８】
第１の実施の形態の変形例３に係るレンズアレイ２においても、外部ミラーと組み合わせることなく、レンズアレイ単体のみで、光路折り曲げが可能となり、安価で、生産性の良い、薄型高焦点深度のレンズアレイを提供することができる。
【００３９】
（変形例４）
第１の実施の形態の変形例４に係るレンズアレイ２は、図５に示すように、入射光Ｉiを入射する入射面１４ａと、入射光Ｉiを反射する第１反射面１６ａと、第１反射面１６ａにおいて反射された入射光Ｉiをさらに反射する第２反射面１６ｂと、第２反射面１６ｂにおいて反射された出射光Ｉoを出射する出射面１２ａとを有する導光体１０と、入射面１４ａに配置され、凸状曲面を有する複数の入射面凸レンズ１４と、出射面１２ａに配置され、凸状曲面を有する複数の出射面凸レンズ１２とを備える。ここで、入射面凸レンズ１４と出射面凸レンズ１２により、正立等倍像を結ぶと共に、第１反射面１６ａと第２反射面１６ｂにおける反射により、入射方向と出射方向に１８０度の角度を持たせている。その他の構成は、第１の実施の形態の変形例２と同様であるため、重複説明は省略する。
【００４０】
また、図５において、ｃ１−ｃ２、ｃ２−ｃ３およびｃ３−ｃ４は光路長を表しており、ｃ１に配置された物体の正立等倍像がｃ４に結像される。第１の実施の形態の変形例４に係るレンズアレイ２においては、光路長を調整することによって、共役長や焦点深度を自由に選択可能である。ここで、第１の実施の形態の変形例４に係るレンズアレイ２では、共役長は、ｃ１−ｃ２、ｃ２−ｃ３およびｃ３−ｃ４の全長で表される。
【００４１】
第１の実施の形態の変形例４に係るレンズアレイ２においては、例えば、厚さは、約０．６ｍｍ、横方向の長さは、約４．５ｍｍ程度に形成可能である。
【００４２】
また、第１の実施の形態の変形例４に係るレンズアレイ２においては、反射面１６ａ・１６ｂに鏡面処理を施して形成された反射鏡１７ａ・１７ｂ（図１９内のレンズアレイ２を参照）を備えていても良い。
【００４３】
第１の実施の形態の変形例４に係るレンズアレイ２においても、ミラーと組み合わせることなく、レンズアレイ単体のみで、光路折り曲げが可能となり、安価で、生産性の良い、薄型高焦点深度のレンズアレイを提供することができる。
【００４４】
（正立等倍像）
第１の実施の形態に係るレンズアレイの動作説明であって、正立等倍像が得られる様子は、図６に示すように表される。同様に、第１の実施の形態の変形例１〜４に係るレンズアレイの動作説明であって、正立等倍像が得られる様子は、それぞれ図７〜１０に示すように表される。また、
第１の実施の形態に係るレンズアレイ２においては、図６に示すように、入射面凸レンズ１４は、物体（ｂ１→ａ１）から光を受けたときに、反射面１６ａ上にこの物体の倒立像（ｂ２→ａ２）を結像可能であり、かつ反射面１６ａによって反射された光は、導光体１０内において、倒立像（ｂ３→ａ３）を結像可能であり、かつ出射面凸レンズ１２は、上記物体の正立等倍像（ｂ４→ａ４）が結像されるように上記倒立像（ｂ３→ａ３）の反転が可能である。
【００４５】
第１の実施の形態の変形例１に係るレンズアレイ２においては、図７に示すように、入射面凸レンズ１４は、物体（ｂ１→ａ１）から光を受けたときに、反射面１６ａ上にこの物体の倒立像（ｂ２→ａ２）を結像可能であり、かつ出射面凸レンズ１２は、上記物体の正立等倍像（ｂ４→ａ４）を結像可能である。
【００４６】
第１の実施の形態の変形例２に係るレンズアレイ２においては、図８に示すように、入射面凸レンズ１４は、物体（ｂ１→ａ１）から光を受けたときに、反射面１６ａ上にこの物体の倒立像（ｂ２→ａ２）を結像可能であり、かつ反射面１６ａによって反射された光は、導光体１０内において、倒立像（ｂ３→ａ３）を結像可能であり、かつ反射面１６ｂにこの物体の倒立像（ｂ４→ａ４）を結像可能であり、かつ出射面凸レンズ１２は、上記物体の正立等倍像（ｂ５→ａ５）を結像可能である。
【００４７】
第１の実施の形態の変形例３に係るレンズアレイ２においては、図９に示すように、入射面凸レンズ１４は、物体（ｂ１→ａ１）から光を受けたときに、反射面１６ａ上にこの物体の倒立像（ｂ２→ａ２）を結像可能であり、かつ出射面凸レンズ１２は、上記物体の正立等倍像（ｂ３→ａ３）を結像可能である。
【００４８】
第１の実施の形態の変形例４に係るレンズアレイ２においては、図１０に示すように、入射面凸レンズ１４は、物体（ｂ１→ａ１）から光を受けたときに、反射面１６ａ上にこの物体の倒立像（ｂ２→ａ２）を結像可能であり、かつ反射面１６ａによって反射された光は、導光体１０内において、倒立像（ｂ３→ａ３）を結像可能であり、かつ反射面１６ｂにこの物体の倒立像（ｂ４→ａ４）を結像可能であり、かつ出射面凸レンズ１２は、上記物体の正立等倍像（ｂ５→ａ５）を結像可能である。
【００４９】
［第２の実施の形態］
第２の実施の形態に係るレンズアレイ２の模式的鳥瞰構造は、図１１に示すように表され、図１１のＩ−Ｉ線に沿う模式的断面構造は、図１２に示すように表される。また、図１１および図１２の出射面近傍の模式的平面パターン構成は、図１３（ａ）に示すように表され、図１３（ａ）のＩＩ−ＩＩ線に沿う模式的断面構造は、図１３（ｂ）に示すように表される。入射面凸レンズ１４および出射面凸レンズ１２は、紙面に垂直方向に所定のピッチで複数配置されている。
【００５０】
第２の実施の形態に係るレンズアレイ２は、図１１〜図１３に示すように、入射光Ｉiを入射する入射面１４ａと、入射光Ｉiを反射する第１反射面１６ａと、第１反射面１６ａにおいて反射された入射光Ｉiをさらに反射する第２反射面１６ｂと、第２反射面１６ｂにおいて反射された出射光Ｉoを出射する出射面１２ａとを有する導光体１０と、入射面１４ａに配置され、凸状曲面を有する複数の入射面凸レンズ１４と、出射面１２ａに配置され、凸状曲面を有する複数の出射面凸レンズ１２とを備える。ここで、入射面凸レンズ１４と出射面凸レンズ１２により、正立等倍像を結ぶと共に、第１反射面１６ａと第２反射面１６ｂにおける反射により、入射方向と出射方向に０度の角度を持たせている。
【００５１】
第２の実施の形態に係るレンズアレイ２において、入射面凸レンズ１４および出射面凸レンズ１２は、図１１〜図１２に示すように、導光体１０の光軸（ｃ２−ｃ３方向）に平行な側面から突出した部分に形成されている。また、入射面凸レンズ１４および出射面凸レンズ１２は、図１１および図１３に示すように、図１２において紙面に垂直な方向に所定のピッチで複数配置されている。
【００５２】
さらに、入射面凸レンズ１４は、入射面１４ａを取り囲むように、第１の絞り機構３０を備え、出射面凸レンズ１２は、出射面１２ａを取り囲むように、第２の絞り機構３２を備えていても良い。これらの絞り機構３０・３２は、レンズの解像度を増大するためのものである。例えば、導光体１０の材質の屈折率ｎ＝１．４９として、開口角は、例えば、７度程度に設定可能である。これらの絞り機構３０・３２によって、正立等倍像の光量分布を制御することができ、色斑を防止することができる。
【００５３】
絞り機構３０・３２は、遮光膜としての効果を生ずれば良い。このため、金属の薄膜蒸着、遮光性の導電性若しくは絶縁性フィルムで形成可能である。尚、第１の絞り機構３０および第２の絞り機構３２は、後述する図２９に示すように、テーパー構造を備えていても良い。また、後述する図２８に示すように、第１の絞り機構３０の高さは、入射面凸レンズ１４の高さよりも高く設定することが解像度を大きくする上で望ましい。その他の構成は、第１の実施の形態と同様であるため、重複説明は省略する。
【００５４】
また、図１２において、ｃ１−ｃ２、ｃ２−ｃ３およびｃ３−ｃ４は光路長を表しており、ｃ１に配置された物体の正立等倍像がｃ４に結像される。第２の実施の形態に係るレンズアレイ２においては、光路長を調整することによって、共役長や焦点深度を自由に選択可能である。ここで、第２の実施の形態に係るレンズアレイ２では、共役長は、ｃ１−ｃ２、ｃ２−ｃ３およびｃ３−ｃ４の全長で表される。
【００５５】
第２の実施の形態に係るレンズアレイ２においては、例えば、厚さは、約１．２ｍｍ、横方向の長さは、約４．５ｍｍ程度に形成可能である。
【００５６】
また、第２の実施の形態に係るレンズアレイ２においては、反射面１６ａ・１６ｂに鏡面処理を施して形成された反射鏡１７ａ・１７ｂ（図１７内のレンズアレイ２を参照）を備えていても良い。
【００５７】
第２の実施の形態に係るレンズアレイ２においても、外部ミラーと組み合わせることなく、レンズアレイ単体のみで、光路折り曲げが可能となり、安価で、生産性の良い、薄型高焦点深度のレンズアレイを提供することができる。
【００５８】
（イメージセンサモジュール）
第１の実施の形態に係るレンズアレイを適用したイメージセンサモジュール４の模式的鳥瞰構造は、図１４に示すように表され、図１４のＩＩＩ−ＩＩＩ線に沿う模式的断面構造は、図１５に示すように表される。
【００５９】
第１の実施の形態に係るレンズアレイ２を適用したイメージセンサモジュール４は、図１４および図１５に示すように、図１に示されたレンズアレイ２と、レンズアレイ２を保持する筐体２８と、筐体２８上に配置された光源２２と、光源２２からの入射光Ｉiを反射する原稿載置面１８と、出射面１２ａからの出射光Ｉoを受光するライン型イメージセンサＩＣ２５とを備える。ここで、入射面凸レンズ１４と出射面凸レンズ１２により、ライン型イメージセンサＩＣ２５上に正立等倍像を結ぶことができる。なお、光源２２は、接着層２９を介して筐体２８に取り付けられている。原稿載置面１８上には、読取対象となる原稿が任意に配置可能である。また、ライン型イメージセンサＩＣ２５は、基板２４上に搭載されている。また、基板２４は、コネクタ２６を介して筐体２８に取り付けられている。
【００６０】
光源２２と、原稿載置面１８との間には、ガラス２０が配置される。
【００６１】
光源２２には、例えばライン状に配置された発光ダイオード（ＬＥＤ：Light Emitting Diode）若しくはレーザダイオード（ＬＤ：Laser Diode）などを適用可能である。ＬＥＤとしては、ＡｌＧａＩｎＰ系赤色ＬＥＤ、ＧａＮ系可視光ＬＥＤ、ＢｅＺｎＳｅＴｅ系緑色ＬＥＤ、ＧａＮ系白色ＬＥＤ、ＺｎＯ系ＬＥＤ、ＧａＡｓ系ＬＥＤ、ＩｎＧａＡｓＰ系ＬＥＤなどを適用可能である。ＬＤとしても、ＧａＮ系ＬＤ、ＧａＡｓ系ＬＤ、ＩｎＧａＡｓＰ系ＬＤなどを適用可能である。
【００６２】
ライン型イメージセンサＩＣ２５には、例えば、ライン状に配置された相補型金属酸化物半導体（ＣＭＯＳ：Complementary Metal Oxides Semiconductor）イメージセンサ、或いはＣＣＤイメージセンサなどを適用可能である。
【００６３】
図１４および図１５において、Ｙ軸方向は、ライン型イメージセンサＩＣ２５の主走査方向と呼ばれ、Ｘ軸方向は紙送り方向であり、副走査方向と呼ばれる。
【００６４】
第１の実施の形態の変形例１〜４に係るレンズアレイ２を適用したイメージセンサモジュール４の模式的断面構造は、それぞれ図１６〜図１９に示すように表される。
【００６５】
第１の実施の形態の変形例１〜４に係るレンズアレイ２を適用したイメージセンサモジュール４は、図１６〜図１９に示すように、それぞれ図２〜図５に示されたレンズアレイ２と、当該レンズアレイ２を保持する筐体２８と、筐体２８上に配置された光源２２と、光源２２からの入射光Ｉiを反射する原稿載置面１８と、出射面１２ａからの出射光Ｉoを受光するライン型イメージセンサＩＣ２５とを備える。ここで、入射面凸レンズ１４と出射面凸レンズ１２により、ライン型イメージセンサＩＣ２５上に正立等倍像を結ぶことができる。その他の構成は、図１５に示されたイメージセンサモジュール４と同様であるため、重複説明は省略する。
【００６６】
図１６〜図１９においても、Ｙ軸方向は、ライン型イメージセンサＩＣ２５の主走査方向であり、Ｘ軸方向は紙送り方向であり、副走査方向である。
【００６７】
上記の実施形態およびその変形例において、反射回数によっては、副走査方向にて、像が反転するが、主走査方向においては、いずれにおいても正立であり、よって上記の説明においては、正立像と表現している。主走査方向が正立であれば、ライン型イメージセンサ或いはライン型光プリンタは成立する。
【００６８】
本発明によれば、第１の実施の形態およびその変形例１〜４に係るレンズアレイ２を適用し、安価で、生産性の良い、薄型高焦点深度のイメージセンサモジュールを提供することができる。
【００６９】
［第３の実施の形態］
第３の実施の形態に係るレンズアレイ２の模式的断面構造は、図２０に示すように表され、第３の実施の形態の変形例１〜９に係るレンズアレイ２の模式的断面構造は、それぞれ図２１〜図２７、及び図２９に示すように表される。また、第３の実施の形態に係るレンズアレイの動作説明のための模式的断面構造は、図２８、図３０（ａ）および図３０（ｂ）に示すように表される。図２１〜図２７、及び図２９では断面構造が示されているが、図１１の鳥瞰構造と同様に、紙面に垂直方向に柱状の構成を備え、入射面凸レンズ１４および出射面凸レンズ１２も紙面に垂直方向に所定のピッチで複数配置されている。
【００７０】
第３の実施の形態に係るレンズアレイ２の導光体１０の構造は、図１に示された第１の実施の形態の導光体１０の構造に対応している。また、第３の実施の形態の変形例１〜４に係るレンズアレイ２の導光体１０の構造は、それぞれ図２〜図５に示された第１の実施の形態の変形例１〜４の導光体１０の構造に対応している。また、第３の実施の形態の変形例５に係るレンズアレイの導光体１０の構造は、図１に示された第１の実施の形態の導光体１０の構造に対応している。また、第３の実施の形態の変形例６に係るレンズアレイの導光体１０の構造は、図３に示された第１の実施の形態の変形例２の導光体１０の構造に対応している。また、第３の実施の形態の変形例７に係るレンズアレイの導光体１０の構造は、図５に示された第１の実施の形態の変形例４の導光体１０の構造に対応している。
【００７１】
第３の実施の形態に係るレンズアレイ２は、図２０に示すように、入射面１４ａに配置され、入射面凸レンズ１４に入射する入射光Ｉiの光量を調節する第１絞り機構３０と、出射面１２ａに配置され、出射面凸レンズ１２から出射する出射光Ｉoの光量を調節する第２絞り機構３２とを備える。
【００７２】
また、第３の実施の形態に係るレンズアレイ２は、導光体１０内部に配置され、第１反射面１６ａにより反射された入射光Ｉiの光量を調節する第３絞り機構３１をさらに備えていても良い。
【００７３】
また、入射面凸レンズ１４において、第１絞り機構３０は、入射面１４ａを取り囲むように配置され、出射面凸レンズ１２において、第２絞り機構３２は、出射面１２ａを取り囲むように配置されている。第１絞り機構３０・第２絞り機構３２は、レンズの解像度を増大するためのものである。例えば、導光体１０の材質の屈折率ｎ＝１．４９として、開口角は、例えば、７度程度に設定可能である。第１絞り機構３０・第２絞り機構３２によって、正立等倍像の光量分布を制御することができ、色斑を防止することができる。
【００７４】
また、導光体１０内部において、第３絞り機構３１は、第１反射面１６ａにより反射された入射光Ｉiの光量を調節することによって、さらに解像度を増大するためのものである。例えば、導光体１０の材質の屈折率ｎ＝１．４９として、第３の絞り機構３１の開口角は、例えば、７度程度に設定可能である。
【００７５】
第１絞り機構３０・第３絞り機構３１・第２絞り機構３２は、遮光膜としての効果を生ずれば良い。このため、金属の薄膜蒸着、遮光性の導電性若しくは絶縁性フィルムで形成可能である。尚、第１絞り機構３０および第２絞り機構３２は、後述する図２９に示すようなテーパー構造を備えていても良い。また、第３絞り機構３１は、後述する図３０（ｂ）に示すようなテーパー構造を備えていても良い。
【００７６】
また、第１絞り機構３０および第２絞り機構３２の高さは、入射面凸レンズ１４および出射面凸レンズ１２の高さよりも高く設定することが解像度を大きくする上で望ましい。その他の構成は、第１の実施の形態と同様であるため、重複説明は省略する。
【００７７】
（変形例１）
第３の実施の形態の変形例１に係るレンズアレイ２は、図２１に示すように、入射面１４ａに配置され、入射面凸レンズ１４に入射する入射光Ｉiの光量を調節する第１絞り機構３０と、出射面１２ａに配置され、出射面凸レンズ１２から出射する出射光Ｉoの光量を調節する第２絞り機構３２とを備える。また、第１絞り機構３０・第２絞り機構３２の構成は、第３の実施の形態と同様であり、その他の構成は、第１の実施の形態の変形例１と同様であるため、重複説明は省略する。
【００７８】
（変形例２）
第３の実施の形態の変形例２に係るレンズアレイ２は、図２２に示すように、入射面１４ａに配置され、入射面凸レンズ１４に入射する入射光Ｉiの光量を調節する第１絞り機構３０と、出射面１２ａに配置され、出射面凸レンズ１２から出射する出射光Ｉoの光量を調節する第２絞り機構３２とを備える。
【００７９】
また、第３の実施の形態の変形例２に係るレンズアレイ２は、導光体１０内部に配置され、第１反射面１６ａにより反射された入射光Ｉiの光量を調節する第３絞り機構３１をさらに備えていても良い。また、第１絞り機構３０・第２絞り機構３２・第３絞り機構３１の構成は、第３の実施の形態と同様であり、その他の構成は、第１の実施の形態の変形例２と同様であるため、重複説明は省略する。
【００８０】
（変形例３）
第３の実施の形態の変形例３に係るレンズアレイ２は、図２３に示すように、入射面１４ａに配置され、入射面凸レンズ１４に入射する入射光Ｉiの光量を調節する第１絞り機構３０と、出射面１２ａに配置され、出射面凸レンズ１２から出射する出射光Ｉoの光量を調節する第２絞り機構３２とを備える。また、第１絞り機構３０・第２絞り機構３２の構成は、第３の実施の形態と同様であり、その他の構成は、第１の実施の形態の変形例３と同様であるため、重複説明は省略する。
【００８１】
（変形例４）
第３の実施の形態の変形例４に係るレンズアレイ２は、図２４に示すように、入射面１４ａに配置され、入射面凸レンズ１４に入射する入射光Ｉiの光量を調節する第１絞り機構３０と、出射面１２ａに配置され、出射面凸レンズ１２から出射する出射光Ｉoの光量を調節する第２絞り機構３２とを備える。
【００８２】
また、第３の実施の形態の変形例４に係るレンズアレイ２は、導光体１０内部に配置され、第１反射面１６ａにより反射された入射光Ｉiの光量を調節する第３絞り機構３１をさらに備えていても良い。また、第１絞り機構３０・第２絞り機構３２・第３絞り機構３１の構成は、第３の実施の形態と同様であり、その他の構成は、第１の実施の形態の変形例４と同様であるため、重複説明は省略する。
【００８３】
（変形例５）
第３の実施の形態の変形例５に係るレンズアレイ２は、図２５に示すように、導光体１０内部に配置され、第１反射面１６ａにより反射された入射光Ｉiの光量を調節するテーパー形状の第３絞り機構３１を備える。第３絞り機構３１がテーパー形状を備えることによって、開口度を広くし、かつ解像度を高くすることができる。その他の構成は、第３の実施の形態と同様であるため、重複説明は省略する。
【００８４】
（変形例６）
第３の実施の形態の変形例６に係るレンズアレイ２は、図２６に示すように、導光体１０内部に配置され、第１反射面１６ａにより反射された入射光Ｉiの光量を調節するテーパー形状の第３絞り機構３１を備える。第３絞り機構３１がテーパー形状を備えることによって、開口度を広くし、かつ解像度を高くすることができる。ここで、第３絞り機構３１は、テーパー形状の金属膜で形成されている。
【００８５】
その他の構成は、第３の実施の形態の変形例２と同様であるため、重複説明は省略する。
【００８６】
（変形例７）
第３の実施の形態の変形例７に係るレンズアレイ２は、図２７に示すように、導光体１０内部に配置され、第１反射面１６ａにより反射された入射光Ｉiの光量を調節するテーパー形状の第３絞り機構３１を備える。第３絞り機構３１がテーパー形状を備えることによって、開口度を広くし、かつ解像度を高くすることができる。その他の構成は、第３の実施の形態の変形例４と同様であるため、重複説明は省略する。
【００８７】
（変形例８）
第３の実施の形態の変形例８に係るレンズアレイ２は、図２９（ａ）に示すように、入射面１４ａに配置され、入射面凸レンズ１４に入射する入射光Ｉiの光量を調節するテーパー形状の第１絞り機構３０と、出射面１２ａに配置され、出射面凸レンズ１２から出射する出射光Ｉoの光量を調節するテーパー形状の第２絞り機構３２とを備える。
【００８８】
また、第３の実施の形態の変形例８に係るレンズアレイ２は、導光体１０内部に配置され、第１反射面１６ａにより反射された入射光Ｉiの光量を調節するテーパー形状の第３絞り機構３１（図示省略）をさらに備えていても良い。
【００８９】
また、入射面凸レンズ１４において、第１絞り機構３０は、入射面１４ａを取り囲むように配置され、出射面凸レンズ１２において、第２絞り機構３２は、出射面１２ａを取り囲むように配置されている。テーパー形状の第１絞り機構３０・テーパー形状の第２絞り機構３２は、散乱光を遮蔽し、レンズの解像度をさらに増大するためのものである。例えば、導光体１０の材質の屈折率ｎ＝１．４９として、開口角は、例えば、７度程度に設定可能である。さらに、テーパー形状の第１絞り機構３０・テーパー形状の第２絞り機構３２により、色収差も抑制することもできる。
【００９０】
第３の実施の形態に係るレンズアレイの動作説明のための模式的断面構造は、図２８に示すように表される。第１絞り機構３０の高さＤＩは、図２８に示すように、入射面凸レンズ１４の高さＤＬよりも高く設定することが望ましい。例えば、導光体１０の材質の屈折率ｎ＝１．４９として、開口角は、例えば、７度程度に設定可能である。このように構成された第１絞り機構３０によって、解像度を大きくすることができる。
【００９１】
ここで、入射面凸レンズ１４の高さＤＬの値は、例えば、約０．２ｍｍであり、第１絞り機構３０の高さＤＩの値は、例えば、約０．５ｍｍである。同様に、第２絞り機構３２の高さも出射面凸レンズ１２の高さよりも高く設定することが解像度を大きくする上で望ましい。その他の構成は、第３の実施の形態と同様であるため、重複説明は省略する。
【００９２】
第３実施の形態に係るレンズアレイの動作説明のための模式的断面構造は、図３０（ａ）に示すように表され、第３実施の形態に係るレンズアレイの動作説明のための別の模式的断面構造は、図３０（ｂ）に示すように表される。図３０（ａ）では、導光体１０内部に、金属膜で形成された矩形構造の第３絞り機構３１が配置された例が示されており、図３０（ｂ）では、導光体１０内部に、金属膜で形成されたテーパー構造の第３絞り機構３１が絶縁層３３を介して配置された例が示されている。すなわち、第３絞り機構３１は、導光体１０の表面にテーパー形状に配置された絶縁層３３と、絶縁層３３上に配置され、テーパー形状の金属膜３４とを備える。第３絞り機構３１の形状は、図３０（ａ）に示す矩形構造よりも図３０（ｂ）に示すテーパー形状の方がより望ましい。開口度をより広くすることができ、散乱光を抑制し、解像度を高めることができるからである。
【００９３】
（変形例９）
第３の実施の形態の変形例９に係るレンズアレイ２は、図２９（ｂ）に示すように、入射面１４ａに配置され、入射面凸レンズ１４に入射する入射光Ｉiの光量を調節するテーパー形状の第１絞り機構３０を備える。変形例９においては、変形例８と異なり、テーパー形状の第２絞り機構３２を省略している。このように、絞り機構は、入射面１４ａにのみ配置されていても良い。同様に、絞り機構は、出射面１２ａにのみ配置されていても良い。また同様に、図２０〜図２９（ａ）に示された第３の実施の形態およびその変形例１〜８においても、絞り機構は、入射面１４ａ若しくは出射面１２ａのいずれか一方にのみ配置されていても良い。
【００９４】
第３の実施の形態およびその変形例１〜９に係るレンズアレイ２においても、外部ミラーと組み合わせることなく、レンズアレイ単体のみで、光路折り曲げが可能となり、安価で、生産性の良い、薄型高焦点深度で、しかも高解像度のレンズアレイを提供することができる。
【００９５】
第３の実施の形態およびその変形例１〜９に係るレンズアレイ２は、図１４〜図１９に例示されたイメージセンサモジュール４と同様の構成を備えるイメージセンサモジュールとして適用可能である。
【００９６】
本発明によれば、第３の実施の形態およびその変形例１〜９に係るレンズアレイ２を適用し、安価で、生産性の良い、薄型高焦点深度のイメージセンサモジュールを提供することができる。
【００９７】
[その他の実施の形態]
上記のように、実施の形態およびその変形例によって記載したが、この開示の一部をなす論述および図面はこの発明を限定するものであると理解すべきではない。この開示から当業者には様々な代替実施の形態、実施例および運用技術が明らかとなろう。
【００９８】
上記の実施形態およびその変形例において、導光体１０は、入射面凸レンズ１４および出射面凸レンズ１２以外の部分全てをアルミニウム蒸着膜などで被覆し、外来光を遮蔽する構成を備えていても良い。
【００９９】
上記の実施形態およびその変形例において、反射回数によっては、副走査方向にて、像が反転するが、主走査方向においては、いずれにおいても正立であり、よって上記の説明においては、正立像と表現している。
【０１００】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【産業上の利用可能性】
【０１０１】
本発明のレンズアレイおよびイメージセンサモジュールは、光学読取・書込装置に適用可能であり、各種スキャナ・複写機・複合機・ＬＥＤプリンタなどの入出力装置など幅広い分野に適用可能である。
【符号の説明】
【０１０２】
２…レンズアレイ
４…イメージセンサモジュール
１０…導光体
１２…出射面凸レンズ
１２ａ…出射面
１４…入射面凸レンズ
１４ａ…入射面
１６ａ、１６ｂ…反射面
１７、１７ａ、１７ｂ…反射鏡
１８…原稿載置面
２０…ガラス
２２…光源
２４…基板
２５…ライン型イメージセンサＩＣ
２６…コネクタ
２８…筐体
２９…接着層
３０、３１、３２…絞り機構
３３…絶縁層
３４…金属膜
Ｉi…入射光
Ｉo…出射光
【図１】
2013029650.tif 000003
【図２】
2013029650.tif 000004
【図３】
2013029650.tif 000005
【図４】
2013029650.tif 000006
【図５】
2013029650.tif 000007
【図６】
2013029650.tif 000008
【図７】
2013029650.tif 000009
【図８】
2013029650.tif 000010
【図９】
2013029650.tif 000011
【図１０】
2013029650.tif 000012
【図１１】
2013029650.tif 000013
【図１２】
2013029650.tif 000014
【図１３】
2013029650.tif 000015
【図１４】
2013029650.tif 000016
【図１５】
2013029650.tif 000017
【図１６】
2013029650.tif 000018
【図１７】
2013029650.tif 000019
【図１８】
2013029650.tif 000020
【図１９】
2013029650.tif 000021
【図２０】
2013029650.tif 000022
【図２１】
2013029650.tif 000023
【図２２】
2013029650.tif 000024
【図２３】
2013029650.tif 000025
【図２４】
2013029650.tif 000026
【図２５】
2013029650.tif 000027
【図２６】
2013029650.tif 000028
【図２７】
2013029650.tif 000029
【図２８】
2013029650.tif 000030
【図２９】
2013029650.tif 000031
【図３０】
2013029650.tif 000032